(57)【特許請求の範囲】
【請求項１】
管外に滴下された液体が形成する液膜と管内を流れる液体との間の熱交換を促す形状を有する流下液膜式伝熱管において、管内面に凸状に形成され適長間隔で螺旋状に延びるリブと、管外面に形成され適長間隔で螺旋状に延びる凹部と、管外面に形成され螺旋状に配列された複数個の独立した突起と、を有し、前記突起は、その上面が前記管内面の前記リブに整合する領域がリブ間の領域に整合する領域よりも低くなるように凹んでおり、前記管外面の凹部と、前記管内面のリブとが夫々相互に整合する位置に形成されていることを特徴とする流下液膜式蒸発器用伝熱管。
【請求項２】
前記突起は、四角錐台状をなすことを特徴とする請求項１に記載の流下液膜式蒸発器用伝熱管。
【請求項３】
前記突起の高さは、０．２０乃至０．４０ｍｍであることを特徴とする請求項２に記載の流下液膜式蒸発器用伝熱管。
【請求項４】
前記突起は、上面と底面との面積比（Ａ）が０．２５≦Ａ≦０．４０であることを特徴とする請求項１乃至３のいずれか１項に記載の流下液膜式蒸発器用伝熱管。
【請求項５】
管軸直交断面から見て、独立した前記突起の上面における凹部のピッチ（Ｐ）が５．７５≦Ｐ≦６．７５ｍｍであることを特徴とする請求項１乃至４のいずれか１項に記載の流下液膜式蒸発器用伝熱管。
【請求項６】
前記リブの管軸方向となす角度θが４０°≦θ≦４４°であることを特徴とする請求項１乃至５のいずれか１項に記載の流下液膜式蒸発器用伝熱管。
【請求項７】
前記突起の管軸方向のピッチＰＦが０．８９≦ＰＦ≦１．１２ｍｍであることを特徴とする請求項１乃至６のいずれか１項に記載の流下液膜式蒸発器用伝熱管。
【発明の詳細な説明】
【０００１】
【発明の属する技術分野】
本発明は、管外面に冷媒を流下して管外面に液膜を形成し、冷媒を蒸発させることにより管内を通流する流体との間で熱交換を行う流下液膜式蒸発器用伝熱管に関する。
【０００２】
【従来の技術】
吸収式冷温水機等の流下液膜式蒸発器では、伝熱管の外周面に冷媒を流下させて管内を通流する例えば水と前記冷媒との間で熱交換させ、管内の水を冷却している。伝熱管に接触した冷媒は、伝熱管表面を濡れ拡がり、低い圧力で蒸発して伝熱管の伝熱面から熱を奪うことにより、伝熱管内部の水を冷却する。
【０００３】
このように、流下液膜式伝熱管においては、管外面に冷媒として例えば純水を散布し、管内に冷水を通流させる。そして、管外面に冷媒の液膜を形成し、この冷媒が蒸発することにより、管内を通流する冷水を冷却する。この場合に、伝熱管の表面に濡れ拡がった冷媒が蒸発する際に、伝熱面から気化熱を奪うため、効率的に管内の水を冷却するためには、伝熱管と冷媒との接触面積、即ち、伝熱面（管外面）の面積を可及的に増大させることが必要である。
【０００４】
このような流下液膜式伝熱管として、本願出願人は外面にフィンを多数設けた伝熱管を提案した（特開平７−７１８８９号公報）。この従来の伝熱管は、管外面に管軸方向に直交又は傾斜する方向に延びるフィンを設け、フィンの頂部にフィンに沿って溝部を設けたものであり、更にこのフィンの上半部を区切る切欠部を所定のピッチで設けたものである。前記溝部の両側壁間のなす角度は７０乃至１５０°である。
【０００５】
この伝熱管は、冷媒の濡れ拡がり性が優れていると共に、伝熱表面積が大きく、伝熱性能が従前よりも優れているという利点を有する。
【０００６】
【発明が解決しようとする課題】
しかしながら、上述の従来の伝熱管においては、所期の目的は達成されたものの、以下に示すように、近時ますます高性能が要求される蒸発器用伝熱管として、その伝熱性能が十分なものではなくなってきた。即ち、この従来の伝熱管は、フィンの長手方向に沿って溝部を設けているので、フィンを長手方向に直交する断面でみると、フィンの上半部がＹ字状に２分割され、しかもこのフィンの分割角度が７０乃至１５０°である。このため、この分割部分が結果的にフィン間に形成される溝を塞ぐので、フィン間の溝への冷媒の濡れ広がり性が悪く、液膜が厚く形成されてしまい、蒸発性能が低下する。
【０００７】
更に、フィンがその長手方向に直交する方向に延びる切欠部で分断されている。そして、この切欠部の深さが前記溝部と同様にフィンの高さに比して浅いため、管軸方向への濡れ拡がり性が十分ではない。このため、液膜が厚く形成され、蒸発性能が低下する。
【０００８】
本発明はかかる問題点に鑑みてなされたものであって、冷媒の液膜の蒸発性能が高く、蒸発伝熱性能が優れた流下液膜式蒸発器用伝熱管を提供することを目的とする。
【０００９】
【課題を解決するための手段】
本発明に係る流下液膜式蒸発器用伝熱管は、管外に滴下された液体が形成する液膜と管内を流れる液体との間の熱交換を促す形状を有する流下液膜式伝熱管において、管内面に凸状に形成され適長間隔で螺旋状に延びるリブと、管外面に形成され適長間隔で螺旋状に延びる凹部と、管外面に形成され螺旋状に配列された複数個の独立した突起と、を有し、前記突起は、その上面が前記管内面の前記リブに整合する領域がリブ間の領域に整合する領域よりも低くなるように凹んでおり、前記管外面の凹部と、前記管内面のリブとが夫々相互に整合する位置に形成されていることを特徴とする。
【００１０】
この流下液膜式蒸発器用伝熱管において、前記突起は、例えば、高さが０．２０乃至０．４０ｍｍの四角錐台状をなすものである。更に、前記突起は、上面と底面との面積比（Ａ）が０．２５≦Ａ≦０．４０であることが好ましい。更にまた、管軸直交断面から見て、独立した前記突起の上面における凹部のピッチ（Ｐ）が５．７５≦Ｐ≦６．７５ｍｍであることが好ましい。更にまた、前記リブの管軸方向となす角度θが４０°≦θ≦４４°であることが好ましい。更にまた、前記突起の管軸方向のピッチＰＦが０．８９≦ＰＦ≦１．１２ｍｍであることが好ましい。
【００１１】
本発明においては、管外面に例えば四角錘台状の独立した突起が螺旋状に配置されており、この突起の上面は管内面のリブに相当する領域が凹み、高さが高い部分と、低い部分とが存在する。このため、冷媒を散布した際に、高さが高い部分の冷媒が低い部分に表面張力により引き込まれ、突起の高さが高い部分の厚さが薄くなり、蒸発伝熱性能が向上する。また、散布された冷媒が螺旋状に配置された突起の間の領域に沿って流れる際に、管外面に形成された凹部に誘導され、結果的に他の部位に存在する冷媒の厚さが薄くなり、このため、蒸発伝熱性能が向上する。
【００１２】
【発明の実施の形態】
以下、本発明の実施例について添付の図面を参照して具体的に説明する。図１は本発明の実施例に係る流下液膜式蒸発器用伝熱管の一部を切り欠いて示す斜視図である。図１は管軸方向及び管円周方向に一部の領域を示す。この図に示すように、本実施例の伝熱管１は、管内面に、管軸方向に傾斜する方向、即ち螺旋状に延びる凸状のリブ５が相互間に適長間隔をおいて形成されている。また、管外面には、同様に螺旋状に延びる凹部２が形成されており、この管外面の凹部２と管内面のリブ５とは相互に整合する位置に配置されている。また、管内面のリブ５間の領域は、リブ５に挟まれた凹部４となっており、管外面の凹部２間の領域は凹部２に挟まれた凸部３となっている。
【００１３】
そして、管外面には、独立した突起６が螺旋状に点在するように配置されている。この突起６が配置される螺旋の管軸方向に対する傾斜角度は、凹部２の螺旋の管軸方向に対する傾斜角度と異なり、突起６の配列方向と、凹部２の延長方向とは相互に交差するものである。そして、突起６のうち、管外面の凹部２にかかる位置にあるものは、その上面が、凹部２に整合する部分で凹んでいる。このため、この突起６は、その凸部３上の部分７が、凹部２上の部分８よりも高く、部分７と部分８との間に段差が生じている。
【００１４】
図２は図１の伝熱管１を管軸方向に直交する方向で切断した断面図である。管円周方向について、凹部２は、凹部２自体として現れたり、突起６の上面の凹み（部分８）として現れる。従って、この凹部２の管円周方向のピッチＰは図２の矢印にて示される。なお、このピッチＰは突起の上面の包絡線におけるものである。
【００１５】
図３は図１の伝熱管１を管軸方向で切断した断面図である。この図３に示すように、螺旋状に延びるリブ５の延長方向が管軸方向に対してなす角度をθとする。このθは管内面において、管軸に平行に延びる線と、リブ５とが交差する角度である。突起の管軸方向のピッチ（ＰＦ）は突起の底部の中心位置で表したピッチである。
【００１６】
次に、このように構成された本実施例の流下液膜式蒸発器用伝熱管の動作について説明する。この伝熱管１の内部に水を通流させ、管外面に冷媒を流下又は散布する。そうすると、冷媒が管外面に付着して液膜が形成され、低い圧力で冷媒が蒸発し、この蒸発時の気化熱により伝熱管内部を通流する水が冷却される。
【００１７】
この場合に、管外面に螺旋状に配列された独立した突起６はその一部で上面が段差を有し、高い部分７と低い部分８とを有する。このため、冷媒を散布したときに高さが高い部分７の冷媒が低い部分８に表面張力により引き込まれ、高い部分７の冷媒の膜厚が薄くなる。また、突起６の底部では、突起間の間隙を伝わって冷媒が流れようとするが、この場合に管外面における内面リブ５に相当する部位が凹んでいて凹部２となっているので、冷媒は凹部２に誘導されて凹部２を流れるようになる。その結果、他部位の冷媒の膜厚が薄くなる。このようにして、管外面の冷媒の膜厚が薄くなる結果、伝熱性能が向上し、冷媒が蒸発しやすくなる。
【００１８】
而して、突起６は四角錘台状をなし、その高さは０．２０乃至０．４０ｍｍであることが好ましい。突起６の高さが０．２ｍｍより低くなると、突起の高い部分と突起間の間隙部との段差が小さくなり、表面張力による引き込まれる冷媒量が少なくなり、突起の高い部分の冷媒の膜厚が厚くなり、性能が低下する。一方、突起６の高さが０．４ｍｍより高くなると、突起の高い部分の冷媒が突起間の間隙部に表面張力により引き込まれ、突起の高い部分の冷媒の膜厚が薄くなるものの、突起間の間隙部に冷媒が引き込まれやすくなり、間隙部の冷媒膜厚が厚くなり、性能が低下する。このため、突起６の高さは０．２０乃至０．４０ｍｍであることが好ましい。
【００１９】
突起６の上面の面積（Ｓ１）と下端の輪郭により決まる底面積（Ｓ２）との比（Ａ）＝Ｓ１／Ｓ２が０．２５乃至０．４０であることが好ましい。但し、この面積Ｓ１，Ｓ２はその面に凹凸を有する場合でも、投影面積である。この面積比Ａが０．２５未満では、フィン先端部の面積が減少し、突起先端部の冷媒が突起間の間隙に流れ込みやすくなり、突起間の冷媒の膜厚が厚くなり、性能が低下する。一方、面積比（Ａ）が０．４０を超える場合、突起６の間隙が相対的に狭くなり、冷媒が濡れ広がらなくなる。このため、面積比（Ａ）は０．２５乃至０．４０とする。
【００２０】
凹部２の管円周方向の突起上面におけるピッチ（Ｐ）は５．７５乃至６．７５ｍｍであることが好ましい。この凹部ピッチ（Ｐ）が５．７５ｍｍ未満では表面張力により冷媒の引き込みがなくなるため、冷媒の膜厚が厚くなり、効果がなくなる。ピッチ（Ａ）が６．７５ｍｍを超える場合は、表面張力はあるが凹部が少なくなるため、上述の効果が少なくなる。よって、凹部ピッチ（Ｐ）は５．７５乃至６．７５ｍｍであることが好ましい。
【００２１】
凹部２が管軸方向に対してなす角度θは４０°乃至４４°であることが好ましい。θが４０°未満では表面張力により引き込みがなくなるため、液膜が厚くなり、効果がなくなる。一方、θが４４°を超える場合は、表面張力はあるものの、凹部が少なくなるため、効果が少なくなる。よって、凹部２が管軸方向に対してなす角度θは４０乃至４４°であることが好ましい。
【００２２】
また、管外表面の突起８の管軸方向のピッチ（ＰＦ）は、０．８９≦ＰＦ≦１．１２ｍｍであることが好ましい。ピッチＰＦが０．８９ｍｍ未満の場合は、突起間の間隙に冷媒が流れにくくなり、管表面での濡れ拡がりが悪くなって、性能が低下する。ピッチＰＦが１．１２ｍｍを超えると、突起間の間隙に冷媒が流れ込みやすくなり、突起間の冷媒の膜厚が厚くなり、性能が低下する。
【００２３】
なお、図１に示す形状の伝熱管は以下のようにして製造することができる。例えば、外径が１６ｍｍ、肉厚が０．７ｍｍのリン脱酸銅管（ＪＩＳＨ３３００、Ｃ１２０１−１／２Ｈ）を使用して管外面に螺旋状のフィンを管軸方向に一定のピッチにて転造加工し、歯車ディスクにて管周方向に一定のピッチにて押込み、図１のように管外面に螺旋状の独立した突起を形成する。また、管内面には、螺旋状に溝が成形されたマンドレルを配置し、管外面に螺旋状のフィン形状を成形するのと同時に管内面に螺旋状のリブを成形する。これにより、図１に示す形状の伝熱管を製造することができる。
【００２４】
なお、原管については、リン脱酸銅に限定されるものではなく、銅合金、アルミニウム合金、鋼材等の種々の材質を使用することができる。また、調質についても、１／２Ｈに限定されるものではなく、例えば、調質がＯ材でもよい。
【００２５】
【実施例】
次に、上述の数値範囲の効果を実証するための実施例について、本発明の特許請求の範囲請求項４乃至８の範囲から外れる比較例と比較して示す。下記表１は管外面及び内面の形状寸法を示す。
【００２６】
【表１】
0003801771.tif 000002
【００２７】
図４はこれらの伝熱管の性能評価試験に供した試験装置を示す。チャンバ９内を仕切り９ａにより蒸発器及び吸収器の２室に分割し、各室に伝熱管１０を水平にして同数配置し、夫々直列に連結する。なお、仕切り９ａの上部は蒸気が通流することができる。そして、一方の蒸発器においては、冷水入口１１から伝熱管１０内に冷水を導入し、上端部の伝熱管１０の冷水出口１２からこの冷水を排出する。また、これらの伝熱管１０の上方には、冷媒を室内に導入する冷媒入口１３が設けられており、この冷媒入口１３から冷媒を伝熱管１０上に流下するようになっている。また、冷媒ポンプ２１はチャンバ内に溜まった冷媒を冷媒出口１４から冷媒入口１３まで汲み上げるものである。他方、吸収器においては、下端部の伝熱管１０に冷却水入口１７から冷却水を導入し、上端部の伝熱管１０から冷却水出口１８を介して冷却水を排出する。そして、これらの伝熱管１０の上方には、ＬｉＢｒ水溶液を室内に導入するＬｉＢｒ水溶液入口１５が設けられており、この水溶液入口１５から水溶液を伝熱管１０上に流下するようになっている。また、チャンバ９の底部に溜まったＬｉＢｒ水溶液はＬｉＢｒ水溶液出口１６からポンプ２２により排出される。なお、チャンバ９にはデジタルマノメータ２０とチャンバ内のガスを排出するバルブ１９が設けられている。
【００２８】
蒸発器において、蒸発することにより伝熱管内を通流する冷水を冷却した冷媒は、その一部が液化してチャンバの底部に溜まり、残部は仕切り９ａの上部を介して吸収器内に入る。そして、冷媒は吸収器内の伝熱管１０上に流下するＬｉＢｒ水溶液に吸収される。
【００２９】
試験条件は以下のとおりである。
蒸発圧力：６．０ｍｍＨｇ
冷媒散布量：１．００kg／ｍ・分
冷水流速：１．５０ｍ／秒（管端部の断面積を基準として設定）
冷水出口温度：７．０℃
管配列：１列×４段（段ピッチ２４ｍｍ）
パス数：４パス
得られた測定値から下記数式に従って総括伝熱係数Ｋ0を算出した。
【００３０】
【数１】
Ｋ0＝Ｑ／（ΔＴ／Ａ0）
Ｑ＝Ｇ・Ｃｐ・（Ｔｉｎ−Ｔｏｕｔ）
ΔＴｍ＝（Ｔｉｎ−Ｔｏｕｔ）／ln｛（Ｔｉｎ−Ｔｅ）／（Ｔｏｕｔ−Ｔｅ）｝
Ａ0＝π・Ｄ0・Ｌ・Ｎ
但し、Ｑ：蒸発器の冷凍能力（ｋｃａｌ／時）
Ｇ：冷水流量（ｋｇ／ｈ）
Ｃｐ：冷水比熱（ｋｃａｌ／kg・℃）
Ｔｉｎ：冷水入口温度（℃）
Ｔｏｕｔ：冷水出口温度（℃）
ΔＴｍ：対数平均温度差（℃）
Ｔｅ：冷媒蒸発温度（℃）
Ｋ0：総括伝熱係数（ｋｃａｌ／ｍ2ｈ℃）
Ａ0：原管部基準管外表面積（ｍ2）
Ｄ0：原管部外径（ｍ）
Ｌ：チューブ有効長（ｍ）
Ｎ：チューブ本数（本）
【００３１】
図５はこの数式１から求めた総括伝熱係数と、突起ピッチとの関係を示すグラフ図、図６は総括伝熱係数と、面積比Ａとの関係を示すグラフ図、図７は総括伝熱係数と、凹部ピッチＰとの関係を示すグラフ図、図８は総括伝熱係数とリブリード角θとの関係を示すグラフ図、図９は総括伝熱係数と突起高さＦＨとの関係を示すグラフ図である。これらの図５乃至９に示すように、１．０kg／ｍ／分の範囲の冷媒散布量において、実施例の総括伝熱係数が比較例１乃至１５の総括伝熱係数より高いものであった。
【００３２】
【発明の効果】
以上説明したように、本発明によれば、冷媒の濡れ広がり性が向上し、液膜が薄く形成されることにより、蒸発性能が著しく向上するという効果を奏する。
【図面の簡単な説明】
【図１】本発明の実施例に係る流下液膜式蒸発器用伝熱管の一部を示す斜視図である。
【図２】凹部ピッチ（Ｐ）を説明する断面図である。
【図３】リブのリード角を説明する断面図である。
【図４】性能評価装置を示す図である。
【図５】総括伝熱係数と、突起ピッチとの関係を示すグラフ図である。
【図６】総括伝熱係数と、面積比Ａとの関係を示すグラフ図である。
【図７】総括伝熱係数と、凹部ピッチＰとの関係を示すグラフ図である。
【図８】総括伝熱係数とリブリード角θとの関係を示すグラフ図である。
【図９】総括伝熱係数と突起高さＦＨとの関係を示すグラフ図である。
【符号の説明】
１：伝熱管
２：凹部
３：凸部
４：凹部
５：リブ
６：突起
７、８：部分
【図１】
0003801771.tif 000003
【図２】
0003801771.tif 000004
【図３】
0003801771.tif 000005
【図４】
0003801771.tif 000006
【図５】
0003801771.tif 000007
【図６】
0003801771.tif 000008
【図７】
0003801771.tif 000009
【図８】
0003801771.tif 000010
【図９】
0003801771.tif 000011